(57)【特許請求の範囲】
【請求項１】
番組選択命令を入力する入力装置と、
複数のビットストリームを有する外部入力信号から上記番組選択命令を受けた番組を含むビットストリームを抽出するチューナ部と、この抽出したビットストリームから上記番組選択命令を受けた番組およびこのビットストリームに含まれている番組群から上記番組を選択するために用いる番組情報を抽出するデマルチプレクサ部と、上記抽出された番組を復号して映像および音声信号を再生するデコーダ部とを有する第１の受信系と、
上記第１の受信系と同様に構成された第２の受信系と、
上記入力装置から入力された番組選択命令に従って上記第１，第２の受信系で再生された第１，第２の映像信号を重畳または選択するとともに、再生された第１，第２の音声信号を重畳または選択して表示装置に出力するミキサ部と、
上記第１，第２の受信系および上記ミキサ部を制御してピクチャー・イン・ピクチャー機能を実現する演算・制御装置とを備えたディジタル放送受信機において、
上記演算・制御装置が、上記第１，第２の受信系で抽出された番組情報を記憶する記憶手段を有し、上記いずれかの受信系で受信した番組を上記表示装置に表示しているときは、他の受信系で異なるビットストリームを受信してそのビットストリームの番組情報を上記記憶手段に記憶させ、上記番組選択命令が入力されたときは、まずその命令された番組の選択に必要とされる番組情報が上記記憶手段に記憶されているか否かを参照し、記憶されているときは、その番組情報を用いて、上記いずれかの受信系が、上記命令された番組およびその番組情報を含むビットストリームから、上記命令された番組を上記デマルチプレクサ部で抽出し、上記デコーダ部にて映像及び音声信号を再生して、受信番組を切り替えるように構成されていることを特徴とするディジタル放送受信機。
【請求項２】
上記演算・制御装置が、上記いずれかの受信系で受信した番組を上記表示装置に表示しているときは、直前に受信していた番組、この番組に関する番組情報のいずれか一方または双方を他の受信系で受信しておき、上記直前に受信していた番組の選択命令が入力されたときは、上記他の受信系で受信している番組に切り替えて表示するように構成されていることを特徴とする請求項１記載のディジタル放送受信機。
【請求項３】
上記演算・制御装置が、上記いずれかの受信系で受信した番組を上記表示装置に表示しているとき、次に入力される番組選択命令で指定される番組とそのビットストリームが予測可能なときは、他の受信系でそのビットストリームを受信してそのビットストリームの番組情報を上記記憶手段に記憶させておくように構成されていることを特徴とする請求項１記載のディジタル放送受信機。
【請求項４】
上記演算・制御装置が、上記いずれかの受信系で受信した番組を上記表示装置に表示しているときに番組選択命令が入力されたとき、その命令を受けた番組を他の受信系で受信して表示装置に表示されるまでの間、現在表示していた番組を表示し続けるように構成されていることを特徴とする請求項１に記載のディジタル放送受信機。
【発明の詳細な説明】
【０００１】
【発明の属する技術分野】
この発明は、ディジタル方式の映像および音声の放送を受信して再生するピクチャー・イン・ピクチャー機能を有するディジタル放送受信機に関する。
【０００２】
【従来の技術】
図１４は、例えば特公昭６０−１７２７４号公報に開示された従来のピクチャー・イン・ピクチャー機能を有するアナログ放送受信機を示すブロック図である。図において、１はピクチャー・イン・ピクチャー機能を有するアナログ放送受信機、２はアナログ放送受信機１に外部アンテナ等から入力される映像音声被変調波入力信号、３は外部入力信号１２を受信する第１のチューナ、４は第１のチューナ３によって選択された第１の映像中間周波数と第１の音声中間周波数を増幅する第１の中間周波増幅部、５は第１の中間周波増幅部４からの中間周波信号から映像および音声信号を復元する第１の映像音声検波部である。
【０００３】
また、６は外部入力信号１２を受信する第２のチューナ、７は第２のチューナ６によって選択された第２の映像中間周波数と第２の音声中間周波数を増幅する第２の中間周波増幅部、８は第２の中間周波増幅部７からの中間周波信号から映像および音声信号を復元する第２の映像音声検波部、９は第１の映像音声検波部５から出力された第１の映像音声信号と第２の映像音声検波部８から出力された第２の映像音声信号とを重畳するミキサ部、１０はモニタやスピーカなどの表示装置である。
【０００４】
次に動作について説明する。外部アンテナや同軸ケーブル等から入力された映像音声被変調波入力信号２は、通常複数チャンネルの番組を含んでいる。第１のチューナ３と第２のチューナ６は、映像音声被変調波入力信号２の中から異なる第１と第２の映像音声中間周波数をそれぞれ選択し、選択された第１と第２の映像音声中間周波数は、第１の中間周波増幅部４と第２の中間周波増幅部７によってそれぞれ増幅される。第１の映像音声検波部５は、増幅された第１の映像音声中間周波数から第１の映像音声信号を復元し、ミキサ部９に送る。
【０００５】
一方、第２の映像音声検波部８は、増幅された第２の映像音声中間周波数から第２の映像音声信号を復元し、ミキサ部９に送る。ミキサ部９では入力された第１と第２の映像音声信号を受信し、第１の映像信号の内部あるいは外部に第２の映像信号を配置し、第１の音声信号と第２の音声信号をミックスして、例えば右側チャンネルと左側チャンネルにそれぞれ振り分ける等の重畳操作を行い、ピクチャー・イン・ピクチャー機能を実現する。そのようにして重畳された映像および音声信号は、モニタやスピーカなどの表示装置１０に送られ、使用者に対して表示される。これらは、ピクチャー・イン・ピクチャー機能を有するアナログ放送受信機の代表的な構成である。
なお、複数の映像信号を１つの画面上に配置する際に第１の映像信号の外側に第２の映像信号を配置する場合には、ピクチャー・アウト・ピクチャーと呼ぶ場合もあるが、ここではピクチャー・イン・ピクチャー機能に含まれるものとする。
【０００６】
また、図１５は、例えばＵＳ００５２３１４９４Ａ号に示された従来のディジタル放送受信機を示すブロック図である。図において、１１はディジタル放送受信機、１２はディジタル放送受信機１１に外部から入力する外部入力信号、１３は外部入力信号１２を受信する第１のチューナ部、１４は少なくとも１つ以上の番組から構成される第１の番組群と、第１の番組群に関する第１の共通番組情報と、第１の番組群に関する第１の固有番組情報とを含む第１のビットストリームである。
【０００７】
また、１５は第１のビットストリーム１４から第１の番組と第１の共通番組情報と第１の固有番組情報とを分離し、抽出する第１のデマルチプレクサ部、１６は第１のデマルチプレクサ部１５により抽出された第１の番組を映像信号や音声信号に再生する第１のデコーダ部、１７はそれらの機能を制御する演算・制御装置、１８は演算・制御装置１７の制御バス、１９は、使用者が任意の番組を選択する命令などを演算・制御装置１７に伝達するために使用する入力装置である。第１のチューナ部１３と第１のデマルチプレクサ部１５とはそれぞれ制御バス１８を介して演算・制御装置１７に情報を伝達したり、逆に演算・制御装置１７からの命令を受け取ることができる。
【０００８】
図１６は、第１のビットストリーム１４の例として、ＩＳＯ／ＩＥＣ１３８１８−１により規定されたＭＰＥＧ（Ｍｏｖｉｎｇ  Ｐｉｃｔｕｒｅ  Ｅｘｐｅｒｔｓ  Ｇｒｏｕｐ）−２システムのトランスポートストリーム構造を示す。図において、２０ａはトランスポートストリームを構成する１８８バイト固定長のトランスポートパケット、２０ｂはトランスポートパケット２０ａを識別するためのＰＩＤ（Ｐacket ＩＤentificstion）、２０ｃは圧縮されたディジタル映像等のデータを格納する領域であるペイロードである。
【０００９】
図１７と図１８にペイロード２０ｃにマッピングされて伝送される第１の共通番組情報と第１の固有番組情報の例を示す。図１７は、ＩＳＯ／ＩＥＣ１３８１８−１により規定されたＭＰＥＧ−２システムのＰＡＴ（Ｐrogram  Ａssociation  Ｔable）の構造である。図１７において、２１ａはテーブル識別子、２１ｂは放送番組番号識別子、２１ｃは後述するＰＭＴのＰＩＤを示すプログラムマップＰＩＤである。また図１８は、ＩＳＯ／ＩＥＣ１３８１８−１により規定されたＭＰＥＧ−２システムのＰＭＴ（Ｐrogram  Ｍap  Ｔable）の構造である。図１８において、２２ａはテーブル識別子、２２ｂはストリーム形式識別子、２２ｃは映像や音声のデータがどのトランスポートパケット２０ａで伝送されているかを示すエレメンタリーＰＩＤである。
【００１０】
このような従来のディジタル放送受信機１１においては、まず同軸ケーブルや衛星放送受信用アンテナなどからディジタル放送受信機１１に外部入力信号１２が入力されている。外部入力信号１２は、例えば日本のディジタル衛星放送の場合、２７ＭＨｚ帯域幅当たり約４０メガビット毎秒の伝送レートを持つ信号である。通常、外部入力信号１２は複数のビットストリームから構成され、第１のチューナ部１３を制御することによって任意のビットストリームを抽出することができる。ここでは外部入力信号１２は、第１のビットストリームと第２のビットストリームから構成されているものとする。
【００１１】
次に動作について説明する。図１９は、従来のディジタル放送受信機１１が任意の第１の番組を抽出する動作を示したフローチャートである。
まず、使用者が任意の第１の番組を受信する命令を入力装置１９を使用して演算・制御装置１７に伝達する（図１９  ステップ１００）。次いで演算・制御装置１７は、外部入力信号１２を受信している第１のチューナ部１３を制御して、第１のビットストリーム１４を抽出させる（図１９  ステップ１０１）。ここでは第１のビットストリーム１４は、少なくとも１つ以上の第１の番組と少なくとも１つ以上の第１の共通番組情報と少なくとも１つ以上の第１の固有番組情報を含んだディジタルビットストリームであるものとする。第１のビットストリーム１４を抽出するまでを第１の手順とする。
【００１２】
第１のビットストリーム１４は、ここでは図１６に示したＩＳＯ／ＩＥＣ１３８１８−１より規定されたＭＰＥＧ−２システムのトランスポートストリーム構造をとっており、トランスポートストリームはまず、１８８バイト固定長のトランスポートパケット２０ａから構成され、ＰＩＤ２０ｂによって識別される。第１のデマルチプレクサ部１５は、第１のビットストリーム１４が入力されると、伝送されてきた各トランスポートパケット２０ａのＰＩＤ２０ｂを調べて、値が０であるようなトランスポートパケット２０ａを探す（図１９  ステップ１０２）。
【００１３】
ＰＩＤ２０ｂの値が０であるようなトランスポートパケット２０ａのペイロード２０ｃには、図１６に示されるような、第１のビットストリーム１４の中で共用される第１の共通番組情報が格納されている。第１のデマルチプレクサ部１５は、上記の手順により検出された第１の共通番組情報を抽出する。これら第１の共通番組情報は制御バス１８を介して演算・制御装置１７に取り込まれ、解析される（図１９  ステップ１０３）。この段階で、使用者が選択した番組がこの第１のビットストリーム１４に含まれていない場合は第１の手順まで戻り、ビットストリームの抽出から再度行う（ステップ１０４）。ここまでの手順を第２の手順とする。
【００１４】
図１７は第１の共通番組情報の例であり、ここではＩＳＯ／ＩＥＣ１３８１８−１より規定されたＭＰＥＧ−２システムのＰＡＴ（Ｐrogram  ＡssociationＴable ）構造をとるものとする。ＰＡＴはひとつのビットストリームに対して、通常ひとつだけ伝送される共通番組情報テーブルである。図１７の中でテーブル識別子２１ａは、この構造がＰＡＴであることを示し、放送番組番号識別子２１ｂは各番組に割り振られた識別番号を示し、プログラムマップＰＩＤ２１ｃは、個々の番組に固有である第１の固有番組情報ＰＭＴ（Ｐｒｏｇｒａｍ  Ｍａｐ  Ｔａｂｌｅ）を伝送するトランスポートパケット２０ａのＰＩＤ２０ｂを示している。
【００１５】
通常ディジタル方式の放送では、ひとつのビットストリームの中に複数の番組が存在するため、ひとつの共通番組情報テーブルだけで全ての番組情報を伝送することは困難になっている。従って、このように共通と固有の番組情報として分割して伝送する場合が多い。演算・制御装置１７は、解析した第１の共通番組情報をもとに、使用者の指定した任意の第１の番組に対応する第１の固有番組情報を伝送するトランスポートパケット２０ａを抽出する命令を、制御バス１８を介して第１のデマルチプレクサ部１５に伝える（図１９  ステップ１０５）。ここまでの手順を第３の手順とする。
【００１６】
命令を受けた第１のデマルチプレクサ部１５は、第１のビットストリーム１４の中から伝送されてきた各トランスポートパケット２０ａのＰＩＤ２０ｂを調べて、今度は使用者の指定した任意の第１の番組に対応する第１の固有番組情報を伝送するトランスポートパケット２０ａのＰＩＤ２０ｂと、値が一致するトランスポートパケット２０ａを探す（図１９  ステップ１０６）。ＰＩＤ２０ｂの値が一致するトランスポートパケット２０ａのペイロード２０ｃには、図１８で示されるような第１の固有番組情報が格納されている。ここまでの手順を第４の手順とする。
【００１７】
図１８は第１の固有番組情報の例であり、ここではＩＳＯ／ＩＥＣ１３８１８−１より規定されたＭＰＥＧ−２システムのＰＭＴ構造をとるものとする。ＰＭＴはひとつの番組に対して、通常ひとつだけ伝送される番組情報テーブルである。図１８の中でテーブル識別子２２ａは、この構造がＰＭＴであることを示し、ストリーム形式識別子２２ｂは番組のデータストリームの形式を示し、エレメンタリーＰＩＤ２２ｃは、各々の番組構成要素を伝送するトランスポートパケット２０ａを識別するＰＩＤ２０ｂを示している。
【００１８】
これら第１の固有番組情報は、第１のデマルチプレクサ部１５によって抽出され、制御バス１８を介して演算・制御装置１７に取り込まれる。演算・制御装置１７は、その第１の固有番組情報をもとに、使用者の指定した任意の第１の番組を伝送するトランスポートパケット２０ａを抽出する命令を、制御バス１８を介して第１のデマルチプレクサ部１５に伝える（図１９  ステップ１０７）。ここまでの手順を第５の手順とする。
【００１９】
命令を受けた第１のデマルチプレクサ部１５は、第１のビットストリーム１４の中から伝送されてきた各トランスポートパケット２０ａのＰＩＤ２０ｂを調べて、今度は使用者の指定した任意の第１の番組の構成要素を伝送するトランスポートパケット２０ａのＰＩＤ２０ｂと値が一致するトランスポートパケット２０ａを探す（図１９  ステップ１０８）。第１の番組を伝送するトランスポートパケット２０ａのＰＩＤ２０ｂは、通常映像データと音声データなど、複数存在する場合が一般的である。ＰＩＤ２０ｂが一致するトランスポートパケット２０ａのペイロード２０ｃには、例えばＩＳＯ／ＩＥＣ１３８１８−２より規定されたＭＰＥＧ−２映像形式に従って符号化された映像信号や、ＩＳＯ／ＩＥＣ１１０７２−３より規定されたＭＰＥＧ−１音声形式等に従って符号化された音声信号などが格納されており、第１のデマルチプレクサ部１５はそれらを第１のデコーダ部１６に伝送し、映像信号や音声信号に再生して、表示装置１０に表示する（ステップ１０９）。ここまでの手順を第６の手順とする。
【００２０】
上記第１の手順から第６の手順に従い、映像信号や音声信号として再生された後、映像モニタやスピーカなどの表示装置１０に出力され、使用者に提供される。
【００２１】
また、使用者が入力装置１９を使用して新しい番組を選択する命令を演算・制御装置１７に入力したか否かを監視しており（ステップ１１０）、新しい番組選択命令が入力された場合は既に抽出・解析した第１の共通番組情報ＰＡＴをもとに、その番組が現在抽出している第１のビットストリーム１４に含まれるか否かを判断する（ステップ１１１）。新しい番組が、現在抽出している第１のビットストリーム１４に含まれている場合は、第３の手順以降を繰り返すだけでよいが、含まれていない場合は、第１の手順に戻り新しいビットストリームの抽出から再度繰り返す。
【００２２】
【発明が解決しようとする課題】
従来のピクチャー・イン・ピクチャー機能を有する放送受信機では、アナログ放送とディジタル放送の受信のいずれの場合も、その機能を実現するためにチューナや中間周波増幅部（ディジタル放送の場合はデマルチプレクサ部）、映像音声検波部（ディジタル放送の場合はデコーダ部）といった番組を受信することが可能な回路ブロックが２組用意されている。しかし、使用者が実際にピクチャー・イン・ピクチャー機能を利用する機会は、それほど多いとは言えない。放送受信機は、ピクチャー・イン・ピクチャー機能を使用しない間は、それらの回路ブロックのうち１組のみを使用して受信を行うため、放送受信機回路のコストアップに比較して、追加された回路が使用される頻度が少なく、効率の悪いものであった。
【００２３】
また、従来のディジタル放送受信機は上記のように構成されているので、使用者が選択した任意の新しい番組が現在抽出している第１のビットストリームとは異なるビットストリームに含まれている場合、第１のチューナ部を制御して新たにビットストリームの抽出から行う、上記第１の手順からやり直す必要がある。第１の共通番組情報や第１の固有番組情報は、通常１秒間に数回程度しか伝送されていないため、手順を開始するタイミングによっては数十から数百ミリ秒のタイムラグを生じることもある。その場合、結果として使用者が任意の番組を選択してから実際にその番組が再生されるまでに１秒以上の時間を要し、ディジタル放送受信機の操作性を低下させるなどの問題点があった。なお一般に、使用者が任意の番組を選択してからその番組が出画するまでに０．５秒以上のタイムラグを生ずると、使用者は操作性に対してストレスを感じると言われている。
【００２４】
また、使用者が任意の新しい番組を選択した後、第１のチューナ部は新しいビットストリームの抽出を開始するため、上記第１の手順から第６の手順が完了するまで、使用者に番組の再生映像や音声を何も提供できない空白の時間帯が発生してしまうなどの問題点があった。
【００２５】
この発明は上記のような問題点を解消するためになされたもので、第１の目的は、使用者が任意の番組を選択してから実際にその番組が再生・表示されるまでの時間を短縮し、操作性を向上させたピクチャー・イン・ピクチャー機能を有するディジタル放送受信機を得ることを目的としている。
【００２６】
また、この発明の第２の目的は、現在再生している番組の直前に再生していた番組を使用者が再び選択した場合に、直前に再生していた番組が再び再生・表示されるまでの時間を短縮し、操作性を向上させたピクチャー・イン・ピクチャー機能を有するディジタル放送受信機を得ることを目的としている。
【００２７】
また、この発明の第３の目的は、使用者が次に選択する任意の番組を含むビットストリームがあらかじめ予測可能な場合に、使用者が任意の番組を選択してから実際にその番組が再生・表示されるまでの時間を短縮し、操作性を向上させたピクチャー・イン・ピクチャー機能を有するディジタル放送受信機を得ることを目的としている。
【００２８】
また、この発明の第４の目的は、使用者が任意の番組を選択してから実際にその番組が再生されるまでの間、選択前の番組を再生・表示して、何も表示されていない空白時間を作らないピクチャー・イン・ピクチャー機能を有するディジタル放送受信機を得ることを目的としている。
【００２９】
【課題を解決するための手段】
本発明に係るディジタル放送受信機においては、番組選択命令を入力する入力装置と、
複数のビットストリームを有する外部入力信号から上記番組選択命令を受けた番組を含むビットストリームを抽出するチューナ部と、この抽出したビットストリームから上記番組選択命令を受けた番組およびこのビットストリームに含まれている番組群から上記番組を選択するために用いる番組情報を抽出するデマルチプレクサ部と、上記抽出された番組を復号して映像および音声信号を再生するデコーダ部とを有する第１の受信系と、上記第１の受信系と同様に構成された第２の受信系と、上記入力装置から入力された番組選択命令に従って上記第１，第２の受信系で再生された第１，第２の映像信号を重畳または選択するとともに、再生された第１，第２の音声信号を重畳または選択して表示装置に出力するミキサ部と、上記第１，第２の受信系および上記ミキサ部を制御してピクチャー・イン・ピクチャー機能を実現する演算・制御装置とを備えたディジタル放送受信機において、上記演算・制御装置が、上記第１，第２の受信系で抽出された番組情報を記憶する記憶手段を有し、上記いずれかの受信系で受信した番組を上記表示装置に表示しているときは、他の受信系で異なるビットストリームを受信してそのビットストリームの番組情報を上記記憶手段に記憶させ、上記番組選択命令が入力されたときは、まずその命令された番組の選択に必要とされる番組情報が上記記憶手段に記憶されているか否かを参照し、記憶されているときは、その番組情報を用いて、上記いずれかの受信系が、上記命令された番組およびその番組情報を含むビットストリームから、上記命令された番組を上記デマルチプレクサ部で抽出し、上記デコーダ部にて映像及び音声信号を再生して、受信番組を切り替えるように構成されたものである。
【００３０】
また、演算・制御装置が、上記いずれかの受信系で受信した番組を上記表示装置に表示しているときは、直前に受信していた番組、この番組に関する番組情報のいずれか一方または双方を他の受信系で受信しておき、上記直前に受信していた番組の選択命令が入力されたときは、上記他の受信系で受信している番組に切り替えて表示するように構成されたものである。
【００３１】
また、演算・制御装置が、上記いずれかの受信系で受信した番組を上記表示装置に表示しているとき、次に入力される番組選択命令で指定される番組とそのビットストリームが予測可能なときは、他の受信系でそのビットストリームを受信してそのビットストリームの番組情報を上記記憶手段に記憶させておくように構成されたものである。
【００３２】
また、上記演算・制御装置が、上記いずれかの受信系で受信した番組を上記表示装置に表示しているときに番組選択命令が入力されたとき、その命令を受けた番組を他の受信系で受信して表示装置に表示されるまでの間、現在表示していた番組を表示し続けるように構成されたものである。
【００３３】
【発明の実施の形態】
この発明の実施の形態においては、ピクチャー・イン・ピクチャー機能を実現するために用意された第１，第２の受信系を利用して、異なるビットストリームに含まれる番組情報を同時に解析可能とし、使用者が番組を選択した際に、あらかじめ解析しておいた番組情報をもとに番組を抽出する。
【００３４】
また、いずれか一方の受信系で現在再生中の番組とその番組情報の抽出に使用するとともに、他方の受信系で直前に再生していた番組を抽出しておき、使用者が直前に再生していた番組を再度選択した場合に、速やかに再生できる。
【００３５】
また、いずれか一方の受信系で第１の番組を再生している状態から、他方の受信系で使用者が次に選択すると予想される任意の番組を含むビットストリームとその番組情報を解析しておき、実際に使用者が予想された任意の番組を選択した際に、あらかじめ解析しておいた番組情報をもとに番組を抽出する。
【００３６】
また、いずれか一方の受信系で第１の番組を再生している状態から、他方の受信系で第２の番組を再生する状態に移行する際、第２の番組が再生可能となるまで第１の番組を再生して番組抽出作業中も使用者に第１の番組を番組を提供する。
【００３７】
以下、この発明をその実施の形態を示す図面に基づいて具体的に説明する。
実施の形態１．
図１はこの発明の実施の形態１であるディジタル放送受信機を示すもので、図において、１１はディジタル放送受信機、１２はディジタル放送受信機１１に外部から入力する外部入力信号、１３は外部入力信号１２を受信する第１のチューナ部、１４は少なくとも１つ以上の番組から構成される第１の番組群と、第１の番組群に関する第１の共通番組情報と、第１の番組群に関する第１の固有番組情報とを含む第１のビットストリーム、１５は第１のビットストリーム１４から第１の番組と第１の共通番組情報と第１の固有番組情報とを分離し、抽出する第１のデマルチプレクサ部、１６は第１のデマルチプレクサ部１５により抽出された第１の番組を映像信号や音声信号に再生する第１のデコーダ部で、１３〜１６で第１の受信系３１を構成している。
【００３８】
また、２３は外部入力信号１２を受信する第２のチューナ部、２４は少なくとも１つ以上の第２の番組群とその番組に関する第２の番組情報とを含む第２のビットストリーム、２５は第２のビットストリーム２４から第２の番組と第２の番組情報を抽出する第２のデマルチプレクサ部、２６は第２のデマルチプレクサ部２５により抽出された第２の番組を映像信号や音声信号に再生する第２のデコーダ部で、２３〜２６で第２の受信系３２を構成している。９は第１の第１のデコーダ部１６から出力された第１の番組を映像信号や音声信号と、第２のデコーダ部２６から出力された第１の番組を映像信号や音声信号とを選択または重畳ミキサ部、１０はモニタやスピーカなどの表示装置である。
【００３９】
また、７０はＣＰＵ（Ｃentral  Ｐrocessing Ｕnit ）やその周辺装置などにより構成される演算・制御装置で、７０ａは使用者が入力装置１９を用いて入力した命令を監視し、命令を受け取り、その内容を解析する入力命令処理部、７０ｂは第１のデマルチプレクサ部１５などを制御バス１８を介して制御したり、制御バス１８を介してそれらから情報を受け取るペリフェラルインターフェイス部、７０ｃは情報の解析、記憶や演算等を司る演算・制御部、７０ｄは、共通番組情報や固有番組情報の内容を記憶したり解析したりすることの可能な番組情報記憶部で、ここでは演算・制御部７０ｃの一部として構成されている。
【００４０】
ここで外部入力信号１２は、第１のビットストリーム１４と第２のビットストリーム２４から構成され、第２のビットストリーム２４は、第１のビットストリーム１４とは異なる番組群とその番組に関する番組情報とを含んでいるものとする。第２のチューナ部２３と第２のデマルチプレクサ部２５とはそれぞれ制御バス１８を介して演算・制御装置７０に情報を伝達したり、逆に演算・制御装置７０からの命令を受け取ることができる。
【００４１】
このように構成されたディジタル放送受信機においては、外部入力信号１２により伝送されている異なる２つのビットストリーム、すなわち第１のビットストリーム１４と第２のビットストリーム２４を、第１のチューナ部１３と第２のチューナ部２３とでそれぞれ同時に抽出することが可能になる。また、第１のビットストリーム１４と第２のビットストリーム２４にはそれぞれ異なる第１と第２の共通番組情報と固有番組情報が含まれているが、第１のデマルチプレクサ部１５と第２のデマルチプレクサ部２５とでそれぞれ同時に抽出することが可能になる。従って、演算・制御装置７０は制御バス１８を介してそれら第１と第２の共通番組情報と固有番組情報を取り込み、同時に解析することができる。
【００４２】
さらに、上記解析した第１と第２の共通番組情報と固有番組情報をもとにして抽出した第１と第２の番組をそれぞれ第１のデコーダ部１６と第２のデコーダ部２６にて同時に映像信号や音声信号等に再生し、ミキサ部９によってそれらを重畳することにより、ピクチャー・イン・ピクチャー機能を実現することができる。
【００４３】
この実施の形態１は、使用者が上記ピクチャー・イン・ピクチャー機能を利用していないとき、すなわち２組用意された第１，第２の受信系３１，３２のうち、いずれか一方しか使用していない場合に、他方の受信系を活用することによって、ディジタル放送受信機の操作性を向上させるものである。
【００４４】
ここで、第１の番組の再生中に、使用者が第１の番組と異なるビットストリームに含まれている第２の番組を選択した場合を考える。図２および図３は、この場合の演算・制御装置７０の動作を示したフローチャートである。図において、ステップ１０１ａから１１１ａまで、およびステップ１０１ｂから１１１ｂまでは、従来例の図１８における１０１から１１１までのステップと同等の動作を行う。すなわち第１のチューナ部１３が、外部入力信号１２から第１のビットストリーム１４を抽出しており、第１のビットストリーム１４には第１の共通番組情報と第１の固有番組情報と第１の番組が含まれている。ここでは従来例と同様に、第１の共通番組情報はＭＰＥＧ−２のＰＡＴ構造で伝送され、第１の固有番組情報はＭＰＥＧ−２のＰＭＴ構造で伝送されているものとする。
【００４５】
演算・制御装置７０は、第１のデマルチプレクサ部１５が抽出した第１の共通番組情報ＰＡＴを解析し、その解析結果をもとに第１の固有番組情報ＰＭＴを、再び第１のデマルチプレクサ部１５を用いて抽出する。演算・制御装置７０は、第１のデマルチプレクサ部１５が抽出した第１の固有番組情報ＰＭＴを解析し、その解析結果をもとに第１のビットストリーム１４から第１の番組を、再び第１のデマルチプレクサ部１５を用いて抽出し、第１のデコーダ部１６に伝送して再生してミキサ部９を経由して表示装置１０に表示していたものとする。第１の共通番組情報ＰＡＴと第１の固有番組情報ＰＭＴの中の必要な情報は演算・制御部７０ｃ内の番組情報記憶部７０ｄに記憶されている。ここまでの動作は従来の第１の手順から第６の手順までと同様である。
【００４６】
この実施の形態１においては、第６の手順の後、あらかじめ第２の共通番組情報を解析しておく（図２  ステップ１１２ａ）。第１の番組の再生中に、あらかじめ第２のチューナ部２３は第２のビットストリーム２４を抽出している（図３ステップ１０１ｂ）。第２のビットストリーム２４には第２の共通番組情報と第２の固有番組情報と第２の番組が含まれている。第２のデマルチプレクサ部２５は、第２のビットストリーム２４が入力されると、伝送されてきた各トランスポートパケット２０ａのＰＩＤ２０ｂを調べて、値が０であるようなトランスポートパケット２０ａを探し（図３  ステップ１０２ｂ）、ペイロード２０ｃに格納された、例えばＭＰＥＧ−２のＰＡＴ構造で伝送されるような第２の共通番組情報を抽出する。
【００４７】
第２のデマルチプレクサ部２５は制御バス１８を介して演算・制御装置７０のペリフェラルインターフェイス部７０ｂに抽出した第２の共通番組情報ＰＡＴを渡す。ペリフェラルインターフェイス部７０ｂは受け取った第２の共通番組情報ＰＡＴを、演算・制御装置７０の演算・制御部７０ｃに伝達し、演算・制御部７０ｃ内の番組情報記憶部７０ｄは第２の共通番組情報ＰＡＴの中から必要な情報を記憶しておく。上記に述べたように演算・制御装置７０は、第２の共通番組情報ＰＡＴを取り込み解析する（図３  ステップ１０３ｂ）。
【００４８】
また、演算・制御装置７０の入力命令処理部７０ａは、使用者が入力装置１９を使用して新しい番組を選択する命令を伝達したか否かを常時監視している（図２  ステップ１１０ａ）。使用者からの新しい番組を選択する命令を検出した場合は、その命令情報を演算・制御部７０ｃに伝達する。演算・制御部７０ｃは、まず既に番組情報記憶部７０ｄに記憶している第１の共通番組情報ＰＡＴをもとに、その番組が現在抽出している第１のビットストリーム１４に含まれるか否かを判断する（図２  ステップ１１１ａ）。含まれている場合は、第３の手順以降を繰り返す。
【００４９】
次に第１の番組の再生中に、使用者が第２の番組を再生させる命令をディジタル放送受信機に伝送した場合を考える。第２の番組が演算・制御装置７０内の番組情報記憶部７０ｄに記憶されている第１の共通番組情報ＰＡＴに記載されていない場合、演算・制御部７０ｃは、第２の番組は現在第１のチューナ部１３が抽出中の第１のビットストリーム１４に含まれていないと判断する（図２  ステップ１１１ａ）。次に演算・制御装置７０内の演算・制御部７０ｃは、第３の手順と同様に第２の番組が番組情報記憶部７０ｄに記憶されている第２の共通番組情報ＰＡＴに記載されているか否かを確認する（図３  ステップ１０４ｂ）。
【００５０】
第２の番組が第２の共通番組情報に記載されている場合、演算・制御装置７０は、その内容に従って第２の番組を抽出する命令を第２のデマルチプレクサ部２５に対し、ペリフェラルインターフェイス部７０ｂから制御バス１８を介して伝送する（図３  ステップ１０５ｂ）。命令を受けた第２のデマルチプレクサ部２５は、第４の手順と同様に、第２のビットストリーム２４の中から、例えばＭＰＥＧ−２のＰＭＴ構造で伝送されるような第２の固有番組情報を抽出する（図３ステップ１０６ｂ）。次に演算・制御装置７０は、第５の手順と同様に、第２の固有番組情報ＰＭＴを解析する。
【００５１】
第２のデマルチプレクサ部２５は制御バス１８を介して演算・制御装置７０のペリフェラルインターフェイス部７０ｂに抽出した第２の固有番組情報ＰＭＴを渡す。ペリフェラルインターフェイス部７０ｂは受け取った第２の固有番組情報ＰＭＴを、演算・制御装置７０の演算・制御部７０ｃに伝達し、演算・制御部７０ｃ内の番組情報記憶部７０ｄは第２の固有番組情報ＰＭＴの中から必要な情報を記憶しておく（図３  ステップ１０７ｂ）。
【００５２】
さらに第２のデマルチプレクサ部２５は、第６の手順と同様に、第２のビットストリーム２４の中から第２の番組を抽出する（図３  ステップ１０８ｂ）。第２のデマルチプレクサ部２５によって分離された第２の番組は、第２のデコーダ部２６に送られ、映像信号や音声信号として再生された後、ミキサ部９を経由して映像モニタやスピーカなどの表示装置１０に出力される（図３  ステップ１０９ｂ）。
【００５３】
また同様に、使用者が次に新しい番組を選択することに備え、第２の番組の再生中にあらかじめ第１の共通番組情報ＰＡＴを抽出し、番組情報記憶部７０ｄに記憶しておく（図３  ステップ１１２ｂ）。
【００５４】
上記の通り使用者による第２の番組を再生させる命令がディジタル放送受信機に伝達された時点で、第２のビットストリーム２４の抽出と第２の共通番組情報が抽出され、内容が記憶されているため、第３の手順すなわち第２の固有番組情報の抽出以降から動作させればよい。従って、使用者が番組を選択してから、実際にその番組が再生されるまでに要する時間を縮小することが可能で、ディジタル放送受信機の操作性を向上させることができる。
【００５５】
実施の形態２．
図４はこの発明の実施の形態２であるディジタル放送受信機を示すもので、図１と同一符号はそれぞれ同一または相当部分を示している。図において、７１はＣＰＵやその周辺装置などにより構成される演算・制御装置で、７１ａは使用者が入力装置１９を用いて入力した命令を監視し、命令を受け取り、その内容を解析する入力命令処理部、７１ｂは第１のデマルチプレクサ部１５などを制御バス１８を介して制御したり、制御バス１８を介してそれらから情報を受け取るペリフェラルインターフェイス部、７１ｃは情報の解析、記憶や演算等を司る演算・制御部、７１ｄは、共通番組情報や固有番組情報の内容を記憶したり解析したりすることの可能な番組情報記憶部で、ここでは演算・制御部７１ｃの一部として構成されている。また、ビットストリームやそれに含まれる番組、共通／固有番組情報などの構成は実施の形態１と同様とする。
【００５６】
この実施の形態２は上記実施の形態１と同様に、使用者が上記ピクチャー・イン・ピクチャー機能を利用していないとき、すなわち、２組用意された受信系のうち、いずれか一方しか使用していない場合に、他方の受信系を活用することによって、ディジタル放送受信機の操作性を向上させるものである。
【００５７】
図５および図６は、この実施の形態２であるディジタル放送受信機の動作を示すフローチャートである。ステップ１０１ａから１１１ａまで、１０１ｂから１１１ｂまで、および１０１ｃから１１１ｃまでは、従来例の図１８における１０１から１１１までのステップと同等の動作を行う。すなわち、使用者が第１の番組を選択した場合、演算・制御装置７１は、まず第１のチューナー部１３と第１のデマルチプレクサ部１５により、第１のビットストリーム１４を抽出し（図５ステップ１０１ａ）、第１の共通番組情報ＰＡＴを抽出・解析した後（図５  ステップ１０２ａ、１０３ａ）、第１の番組が第１のビットストリーム１４に含まれているか否かを判断する（図５  ステップ１０４ａ）。
【００５８】
第１の番組が第１のビットストリーム１４に含まれていれば、第１の共通番組情報ＰＡＴをもとに（図５  ステップ１０５ａ）、第１の固有番組情報ＰＭＴを抽出・解析する（図５  ステップ１０６ａ、１０７ａ）。さらに、第１の固有番組情報ＰＭＴをもとに、第１のデマルチプレクサ部１５およびデコーダ部１６により第１の番組を抽出・再生および表示する（図５  ステップ１０８ａ、１０９ａ）。また、演算・制御装置７１内の入力命令処理部７１ａは使用者が新しい番組を選択したか否かを監視している（図５  ステップ１１０ａ）。
【００５９】
第１の番組の再生中に、使用者が第２の番組を再生させる命令をディジタル放送受信機に伝達した場合、演算・制御装置７１内の演算・制御部７１ｃは、番組が現在再生中の番組と同じストリームに含まれるか判断する（図５  ステップ１１１ａ）。含まれない場合、直前まで再生していた番組か否かを判断する（図５ステップ１１３ａ）。
【００６０】
ここでは初めて使用者が番組変更をしたので、それに該当しない。従って、演算・制御部７１ｃは、ペリフェラルインターフェイス部７１ｂから、制御バス１８を介して第２のチューナー部２３と第２のデマルチプレクサ部２５を制御し、第２のビットストリーム２４を抽出し（図６  ステップ１０１ｂ）、第２の共通番組情報ＰＭＴを抽出・解析した後（図６  ステップ１０２ｂ、１０３ｂ）、第２の番組が第２のビットストリーム２４に含まれているか否かを判断する（図６ステップ１０４ｂ）。
【００６１】
第２の番組が第２のビットストリーム２４に含まれていれば、第２の共通番組情報ＰＡＴをもとに（図６  ステップ１０５ｂ）、第２の固有番組情報ＰＭＴを抽出・解析する（図６  ステップ１０６ｂ、１０７ｂ）。さらに、第２の固有番組情報ＰＭＴをもとに、第２のデマルチプレクサ部２５により第２の番組を抽出し（図６  ステップ１０８ｂ）、抽出された第２の番組は、第２のデコーダ部２６に送られ、映像信号や音声信号として再生された後、ミキサ部９を経由して映像モニタやスピーカなどの表示装置１０に出力される（図６  ステップ１０９ｂ）。
【００６２】
第２の番組の再生を続けている間、演算・制御装置７１内の入力命令処理部７１ａは、使用者が新たな番組を選択する命令を伝達したか否かを監視している（図６  ステップ１１０ｂ）。また、演算・制御装置７１内の番組情報記憶部７１ｄには、直前まで使用されていた第１の共通番組情報ＰＡＴと第１の固有番組情報ＰＭＴが記憶されており、第１のチューナー部１３は第１のビットストリーム１４の抽出を続け、第１のデマルチプレクサ部１５は、直前に使用者が選択していた第１の番組の抽出を続けているものとする（図６  ステップ１０８ａ）。抽出された第１の番組は、第１のデコーダ部１６を使用して常時映像信号や音声信号等に再生されているか、あるいは再生されることなく破棄されている。
【００６３】
ここで、使用者が現在再生中の番組と異なる新しい番組を選択する命令を入力装置１９を使用して伝達してきた場合（図６  ステップ１１０ｂ）、演算・制御装置７１は、その番組が現在再生中の番組と同じ第２のビットストリーム１４に含まれるか否かを判断する（図６  ステップ１１１ｂ）。その番組が、現在再生中の番組と同じ第２のビットストリーム１４に含まれている場合、ステップ１０５ｂに戻り、第２のチューナー部２３と第２のデマルチプレクサ部２５によって抽出し、番組情報記憶部７１ｄに記憶されている第２の共通番組情報ＰＡＴをもとに再度番組の抽出を行う。
【００６４】
その番組が現在再生中の番組と同じ第２のビットストリーム１４に含まれない場合、次に演算・制御装置７１はそれが直前に選択していた番組であるか否かを判断する（図６  ステップ１１３ｂ）。使用者が選択した番組が、直前に再生していた第１の番組でない場合は、ステップ１０５ａに戻り、第１のチューナー部１３と第１のデマルチプレクサ部１５によって抽出し、番組情報記憶部７１ｄに記憶されている第１の共通番組情報ＰＡＴをもとに、第１のビットストリーム１４から番組の抽出を行う。
【００６５】
なお、この実施の形態２では、外部入力信号１２が第１のビットストリームと第２のビットストリームから構成されているが、外部入力信号１２が３つ以上のビットストリームから構成されている場合は、ステップ１０１ａまたはステップ１０１ｂに戻りビットストリームの抽出から再度行ってもよい。
【００６６】
一方、使用者が選択した番組が直前に再生していた第１の番組、すなわち第１の受信系３１によって抽出を続けている番組であった場合、演算・制御部７１ｃはステップ１０８ａに移行し、第１の受信系３１が抽出していた第１の番組を第１のデコーダ部１６に伝送し再生するように、制御バス１８を介して制御を行う。既に第１のデコーダ部１６によって再生されている場合は、ミキサ部９を制御して第１の番組を表示装置１０に出力する。
【００６７】
第１の番組の再生を続けている間、再び演算・制御装置７１内の入力命令処理部７１ａは、使用者が新たな番組を選択する命令を伝達したか否かを監視している（図５  ステップ１１０ａ）。また、演算・制御装置７１内の番組情報記憶部７１ｄには、直前まで使用されていた第２の共通番組情報ＰＡＴと第２の固有番組情報ＰＭＴが記憶されており、第２のチューナー部２３は第２のビットストリーム２４の抽出を続け、第２のデマルチプレクサ部２５は、直前に使用者が選択していた第２の番組の抽出を続けている。もう一度使用者が、直前に再生していた第２の番組を選択した場合も、上記と同様の動作を繰り返す。
【００６８】
上記のように、この実施の形態２によれば、使用者が直前に再生していた番組を再度選択した場合に、使用者の希望する番組を再生するまでの時間を短縮することができる。実使用においては、使用者が、直前に再生していた番組を再度選択するような番組選択を行う頻度は比較的高いため、ディジタル放送受信機の操作性が向上する。
【００６９】
実施の形態３．
上記実施の形態１，２では外部入力信号１２が、２つの異なるディジタルビットストリーム、第１のビットストリームと第２のビットストリームから構成されているものとした。つまり受信系の数を、あらかじめ外部入力信号１２を構成するビットストリーム数と同じ数用意していたため、比較的容易にディジタル放送受信機の操作性を向上させることができた。しかし、実際のディジタル衛星放送などにおいては、外部入力信号１２はより多くのビットストリームから構成されている場合が多い。ここでは、例えば外部入力信号１２が、３つの異なるディジタルビットストリーム、第１，第２および第３のビットストリームから構成されており、受信系の数は、最低限ピクチャー・イン・ピクチャー機能を実現することの可能な２組しか用意されていない場合を考える。
【００７０】
この実施の形態３は、使用者が上記ピクチャー・イン・ピクチャー機能を利用していないとき、すなわち２組用意された受信系のうち、いずれか一方しか使用していない場合に、使用者が第３のビットストリームの番組の再生表示を命令したとき、他方の受信系を活用して表示することで、ディジタル放送受信機の操作性を向上させるものである。
【００７１】
図７はこの発明の実施の形態３であるディジタル放送受信機を示すもので、図１と同一符号はそれぞれ同一または相当部分を示している。図において、７２はＣＰＵやその周辺装置などにより構成される演算・制御装置で、７２ａは使用者が入力装置１９を用いて入力した命令を監視し、命令を受け取り、その内容を解析する入力命令処理部、７２ｂは第１のデマルチプレクサ部１５などを制御バス１８を介して制御したり、制御バス１８を介してそれらから情報を受け取るペリフェラルインターフェイス部、７２ｃは情報の解析、記憶や演算等を司る演算・制御部、７２ｄは、共通番組情報や固有番組情報の内容を記憶したり解析したりすることの可能な番組情報記憶部で、ここでは演算・制御部７２ｃの一部として構成されている。
【００７２】
図８，図９および図１０は、この実施の形態３であるディジタル放送受信機の動作を表すフローチャートである。図において、ステップ１０１ａから１１１ａ、１０１ｂから１１１ｂおよび１０１ｃから１１１ｃまでは、従来例の図１８における１０１から１１１までのステップと同等の動作を行う。すなわち、使用者が第１の番組を選択した場合、演算・制御装置７２は、まず第１の受信系３１により、第１のビットストリーム１４を抽出し（図８  ステップ１０１ａ）、第１の共通番組情報ＰＡＴを抽出・解析した後（図８  ステップ１０２ａ、１０３ａ）、第１の番組が第１のビットストリーム１４に含まれているか否かを判断する（図８  ステップ１０４ａ）。
【００７３】
第１の番組が第１のビットストリーム１４に含まれていれば、第１の共通番組情報ＰＡＴをもとに（図８  ステップ１０５ａ）、第１の固有番組情報ＰＭＴを抽出・解析する（図８  ステップ１０６ａ、１０７ａ）。さらに、第１の固有番組情報ＰＭＴをもとに、第１のデマルチプレクサ部１５および第１のデコーダ部１６により第１の番組を抽出・再生および表示する（図８  ステップ１０８ａ、１０９ａ）。また、演算・制御装置７２内の入力命令処理部７２ａは使用者が新しい番組を選択したか否かを監視している（図８  ステップ１１０ａ）。
【００７４】
第１の番組を再生している間に、あらかじめ第２の受信系３２により、第１のビットストリーム１５から第２の共通番組情報ＰＡＴを抽出・解析して、演算・制御装置７２内の番組情報記憶部７２ｄに記憶しておく（図８  ステップ１１２ａ）。また、使用者が新たな番組を選択する命令を伝達したか否かを監視している演算・制御装置７２内の入力命令処理部７２ａが命令を検出した際、新しい番組が現在抽出している第１のビットストリーム１４に含まれていれば、ステップ１０５ａに戻り第１の固有番組情報の抽出・解析から再度行う（図８  ステップ１１１ａ）。
【００７５】
新しい番組が現在抽出している第１のビットストリーム１４に含まれてない場合、あらかじめ抽出しておいた第２の共通番組情報ＰＡＴをもとに、その新しい番組が第２のビットストリーム２４に含まれるか否かを判断する（図９  ステップ１０４ｂ）。その番組が第２のビットストリーム２４に含まれている場合は、上記第１の番組を再生した手順と同様の手順に従って番組を再生・表示する（図９  ステップ１０５ｂから１０９ｂ）。
【００７６】
新しい番組が第２のビットストリーム２４にも含まれていない場合、演算・制御装置７２内の演算・制御部７２ｃは速やかに第３のビットストリームの抽出を開始し（図１０  ステップ１０１ｃ）、第３の共通番組情報ＰＡＴの抽出と解析に取りかかるようにペリフェラルインターフェイス部７２ｂから制御バス１８を介してチューナとデマルチプレクサを制御する（図１０  ステップ１０２ｃ、１０３ｃ）。
【００７７】
第３のビットストリームの抽出と第３の共通番組情報ＰＡＴの抽出には、第１の受信系３１または第２の受信系３２の何れの組を用いても構わない。演算・制御装置７２は、第３の共通番組情報を抽出した後、その新しい番組が第３のビットストリームに含まれるか否かを判断する。以降は上記と同様の動作を、その番組を含むストリームが発見されるまで繰り返す。
【００７８】
上述したように、この実施の形態３では、使用者が次に選択する番組が含まれるストリームがあらかじめ予測可能な場合には番組を選択してから再生されるまでの時間を短縮することが可能になる。一方で使用者が次に選択する番組が含まれるストリームが予測不可能な場合には、効果を得ることができない。しかしディジタル放送受信機の実使用においては、番組を順送りにする場合など、あらかじめ次に選択する番組が含まれるストリームが予測可能な場合が多く、総合的にはディジタル放送受信機の操作性を向上させることができる。
【００７９】
また、上記実施の形態３では、使用者が新しい番組を選択するまでに、ある１つのビットストリームに含まれる１つの番組共通情報ＰＡＴしか抽出していない。そこで使用者が新しい番組を選択するまでに、あるビットストリームとそれに含まれる番組共通情報ＰＡＴを抽出し、抽出した番組共通情報ＰＡＴを演算・制御装置７２内の番組情報記憶部７２ｂに記憶し、続いて異なるビットストリームとそれに含まれる番組共通情報ＰＡＴを抽出し、番組共通情報ＰＡＴを番組情報記憶部７２ｂに記憶するといった手順を複数回繰り返すことによって、複数のビットストリームの番組共通情報ＰＡＴを記憶しておき、その情報を元に、使用者が選択した新しい番組がどのビットストリームに含まれるかを判断すれば、使用者が番組を選択してから再生されるまでの時間を短縮することがより確実に可能となり、操作性のよいディジタル放送受信機を得ることができる。
【００８０】
実施の形態４．
図１１は、この発明の実施の形態４であるディジタル放送受信機を示すブロック図で、図１と同一符号はそれぞれ同一または相当部分を示している。図において、７３はＣＰＵやその周辺装置などにより構成される演算・制御装置で、７３ａは使用者が入力装置１９を用いて入力した命令を監視し、命令を受け取り、その内容を解析する入力命令処理部、７３ｂは第１のデマルチプレクサ部１５などを制御バス１８を介して制御したり、制御バス１８を介してそれらから情報を受け取るペリフェラルインターフェイス部、７３ｃは情報の解析、記憶や演算等を司る演算・制御部、７３ｄは共通番組情報や固有番組情報の内容を記憶したり解析したりすることの可能な番組情報記憶部で、ここでは演算・制御部７３ｃの一部として構成されている。２７はミキサ部で、制御バス１８を介して演算・制御装置７３から制御される。
【００８１】
この実施の形態４は、使用者が上記ピクチャー・イン・ピクチャー機能を利用していないとき、すなわち２組用意された受信系のうち、いずれか一方しか使用していない場合に、他方の受信系を活用することによって、ディジタル放送受信機の操作性を向上させるものである。
【００８２】
次に動作について説明する。図１２および図１３は、この実施の形態４であるディジタル放送受信機の動作例を示したフローチャートである。ステップ１０１ａから１１１ａ、１０１ｂから１１１ｂおよび１０１ｃから１１１ｃまでは、従来例の図１８における１０１から１１１までのステップと同等の動作を行う。すなわち、使用者が第１の番組を選択した場合、演算・制御装置７３は、まず第１の受信系３１により、第１のビットストリーム１４を抽出し（図１２  ステップ１０１ａ）、第１の共通番組情報ＰＡＴを抽出・解析した後（図１２  ステップ１０２ａ、１０３ａ）、第１の番組が第１のビットストリーム１４に含まれているか否かを判断する（図１２  ステップ１０４ａ）。
【００８３】
第１の番組が第１のビットストリーム１４に含まれていれば、第１の共通番組情報ＰＡＴをもとに（図１２  ステップ１０５ａ）、第１の固有番組情報ＰＭＴを抽出・解析する（図１２  ステップ１０６ａ、１０７ａ）さらに、第１の固有番組情報ＰＭＴをもとに、第１のデマルチプレクサ部１５により第１の番組を抽出する（図１２  ステップ１０８ａ）。演算・制御装置７３は、第１の番組の抽出が開始され、第１のデコーダ部１６によって入力された第１の番組が映像信号や音声信号に再生された後（図１２  ステップ１０９ａ１）、表示装置１０に伝送するように、制御バス１８を介してミキサ部２７を制御する（図１２  ステップ１１４ａ）。表示装置１０は、映像信号や音声信号に再生された第１の番組を表示する（図１２  ステップ１０９ａ２）。
【００８４】
なお、第１の番組を再生・表示するステップ１０９ａは、ミキサ部２７を制御するステップ１１４ａをはさんで２つの手順に分割されている。また、演算・制御装置７３内の入力命令処理部７３ａは使用者が新しい番組を選択したか否かを監視している（図１２  ステップ１１０ａ）。
【００８５】
第１の番組の再生中に、使用者が入力装置１９を用いて第２の番組を再生させる命令を伝達した場合、第１の番組の再生・表示を続けた状態で、演算・制御装置７３内の演算・制御部７３ｃは、まず第１の番組共通情報ＰＡＴを参照して、第２の番組が現在再生中の番組と同じ第１のビットストリーム１４に含まれるか否かを判断する（図１２  ステップ１１１ａ）。
【００８６】
同じストリームに含まれない場合、演算・制御部７３ｃは、ペリフェラルインターフェイス部７３ｂから制御バス１８を介して、第２のチューナー部２３と第２のデマルチプレクサ部２５を制御し、第２のビットストリーム２４を抽出させ（図１３  ステップ１０１ｂ）、さらに第２の共通番組情報ＰＡＴを抽出した後（図１３  ステップ１０２ｂ、１０３ｂ）、第２の番組が第２のビットストリーム２４に含まれているか否かを判断する（図１３  ステップ１０４ｂ）。第２の番組が第２のビットストリーム２４に含まれていれば、演算・制御部７３ｃは、第２の共通番組情報ＰＡＴをもとに（図１３  ステップ１０５ｂ）、第２の固有番組情報ＰＭＴを抽出するように制御を行う（図１３  ステップ１０６ｂ、１０７ｂ）。
【００８７】
さらに演算・制御部７３ｃは、第２の固有番組情報ＰＭＴをもとに、第２の番組を抽出するように第２のデマルチプレクサ部２５を制御する（図１３  ステップ１０８ｂ）。演算・制御部７３ｃは、第２の番組の抽出が開始され、第２のデコーダ部２６によって入力された第２の番組が映像信号や音声信号に再生された後（図１３  ステップ１０９ｂ１）、ペリフェラルインターフェイス７３ｂから制御バス１８を介してミキサ部２７を制御し（図１３  ステップ１１４ｂ）、表示装置１０に伝送して第２の番組を表示する（図１３  ステップ１０９ｂ２）。なお、第２の番組を再生・表示するステップ１０９ｂは、ミキサ部２７を制御するステップ１１４ｂをはさんで２つの手順に分割されている。
【００８８】
以上述べたように、第２の番組の抽出または再生が開始されるまでは第１の番組を表示し、第２の番組の再生が開始された後にミキサ部２７から第２の番組が出力されるため、第２の番組が再生可能になるまで、第１の番組を使用者に提供することが可能となる。従って使用者に番組を提供できない番組抽出準備期間中の空白時間を無くすことができるので、操作性のよいディジタル放送受信機を得ることができる。
【００８９】
なお、この実施の形態４では、２組用意された受信系のうち、いずれか一方しか使用していない場合について説明したが、実施の形態１〜３のように、再生中でない方の受信系で他の番組を抽出している場合に、使用者がその抽出している番組と異なる番組を選択した場合にも同様に適用することで番組抽出準備期間中の空白時間を無くすことができる。
【００９０】
さらに具体的には、使用者が任意の番組を選択してから実際にその番組が再生されるまでの時間を決定する要因としては、ビットストリームのチューニングに要する時間、ヘッダー検出等のデマルチプレクスに要する時間、さらに共通番組情報と固有番組情報といった２つのテーブルを獲得する時間、およびデコードに要する時間などがあるが、この中で最も大きな比重を占めるのが２つのテーブルを獲得するために要する時間である。各番組情報テーブルの伝送頻度が１秒当たり５回であったとしても、最悪約４００ミリ秒の獲得時間を要する。
しかし、この上記各実施の形態によれば、共通番組情報の獲得時間を省略することによりテーブルの獲得時間を約２００ミリ秒まで短縮することが可能で、他の要因を加味しても約５００ミリ秒以内に抑えることが可能で、実使用上において操作性が向上する。
【００９１】
なお、元来ピクチャー・イン・ピクチャー機能を有するディジタル放送受信機には、２つの映像を同時に受信可能とするために２組以上の受信系が用意されている場合が一般的であり、この発明においては、それらの受信系を利用するため、ディジタル放送受信機のコストアップは生じない。
【００９２】
【発明の効果】
この発明は、以上説明したように構成されているので、以下に示すような効果を奏する。
【００９３】
ある番組を再生している状態から、使用者が選択した任意の番組を再生する際、速やかに新たなビットストリームの番組情報を参照して目的の番組を抽出することができるので、使用者が任意の番組を選択してから実際にその番組が再生表示されるまでの時間の短い操作性のよいディジタル放送受信機が得られる。
【００９４】
また、ある番組を再生している状態から、使用者が直前に再生していた番組を選択した際、速やかに直前に再生していた番組を表示できる操作性のよいディジタル放送受信機が得られる。
【００９５】
また、ある番組を再生している状態で、次に再生すべき番組とビットストリームが予測可能な場合において、あらかじめ次の予測されたビットストリームの番組情報を抽出しておくことにより、使用者がその番組を選択したとき短時間で表示できる操作性のよいディジタル放送受信機が得られる。
【００９６】
さらに、ある番組を再生している状態から、使用者が選択した任意の番組を再生する際、次の番組が再生可能となるまで、現在の番組を表示するので、番組切換時の何も表示されない空白時間を無くした操作性のよいディジタル放送受信機が得られる。
【図面の簡単な説明】
【図１】  この発明の実施の形態１を示すディジタル放送受信機のブロック図である。
【図２】  実施の形態１の動作を表すフローチャートである。
【図３】  実施の形態１の動作を表すフローチャートである。
【図４】  この発明の実施の形態２を示すディジタル放送受信機のブロック図である。
【図５】  実施の形態２の動作を表すフローチャートである。
【図６】  実施の形態２の動作を表すフローチャートである。
【図７】  この発明の実施の形態３を示すディジタル放送受信機のブロック図である。
【図８】  実施の形態３の動作を表すフローチャートである。
【図９】  実施の形態３の動作を表すフローチャートである。
【図１０】  実施の形態３の動作を表すフローチャートである。
【図１１】  この発明の実施の形態４を示すディジタル放送受信機のブロック図である。
【図１２】  実施の形態４の動作を表すフローチャートである。
【図１３】  実施の形態４の動作を表すフローチャートである。
【図１４】  従来のピクチャー・イン・ピクチャー機能を有するアナログ放送受信機のブロック図である。
【図１５】  従来のディジタル放送受信機のブロック図である。
【図１６】  従来のディジタル放送受信機のビットストリーム構造図である。
【図１７】  従来のディジタル放送受信機の共通番組情報を表す構造図である。
【図１８】  従来のディジタル放送受信機の固有番組情報を表す構造図である。
【図１９】  従来のディジタル放送受信機の動作を表すフローチャートである。
【符号の説明】
９  ミキサ部、１０  表示装置、１１  ディジタル放送受信機、１２  外部入力信号、１３  第１のチューナー部、１４  第１のビットストリーム、１５  第１のデマルチプレクサ部、１６  第１のデコーダ部、１７  演算・制御装置、１８  制御バス、１９  入力装置、２０ａ  トランスポートパケット、２０ｂＰＩＤ（Ｐacket ＩＤentification）、２０ｃ  ペイロード、２１ａ  ＰＡＴのテーブル識別子、２１ｂ  ＰＡＴの放送番組番号識別子、２１ｃ  ＰＡＴのプログラムマップＰＩＤ、２２ａ  ＰＭＴのテーブル識別子、２２ｂ  ＰＭＴのストリーム形式識別子、２２ｃ  ＰＭＴのエレメンタリーＰＩＤ、２３  第２のチューナー部、２４  第２のビットストリーム、２５  第２のデマルチプレクサ部、２６  第２のデコーダ部、２７  ミキサ部、３１  第１の受信系、３２  第２の受信系、７０，７１，７２，７３  演算・制御装置、７０ａ，７１ａ，７２ａ，７３ａ  入力命令処理部、７０ｂ，７１ｂ，７２ｂ，７２ｂ  ペリフェラルインターフェイス部、７０ｃ，７１ｃ，７２ｃ，７３ｃ  演算・制御部、７０ｄ，７１ｄ，７２ｄ，７３ｄ  番組情報記憶部。
【図１】
0003909947.tif 000002
【図２】
0003909947.tif 000003
【図３】
0003909947.tif 000004
【図４】
0003909947.tif 000005
【図５】
0003909947.tif 000006
【図６】
0003909947.tif 000007
【図７】
0003909947.tif 000008
【図８】
0003909947.tif 000009
【図９】
0003909947.tif 000010
【図１０】
0003909947.tif 000011
【図１１】
0003909947.tif 000012
【図１２】
0003909947.tif 000013
【図１３】
0003909947.tif 000014
【図１４】
0003909947.tif 000015
【図１５】
0003909947.tif 000016
【図１６】
0003909947.tif 000017
【図１７】
0003909947.tif 000018
【図１８】
0003909947.tif 000019
【図１９】
0003909947.tif 000020